(57)【要約】  【課題】  浴槽の構造を簡単かつ低価格にし、メンテナンスが行い易いライティング浴槽を提供する.  【解決手段】  浴槽容器１１の底壁１２に、光を発生する光発生手段と気泡を発生する気泡発生段とが配設されたライティング浴槽であって、前記光発生手段は、電源側から延長される通電用の導線２３が前記底壁１２を貫通して設けられ、該導線２３の先端部に設けられた接続部２８ａに、発光体２７が着脱自在に設けられ、該発光体２７の周囲がシール手段２９，３０によりシールされたことを特徴とするライティング浴槽１０を構成した。  【選択図】    図３
2006006660.tif 000002
【特許請求の範囲】
【請求項１】
浴槽容器の底壁に、光を発生する光発生手段と気泡を発生する気泡発生手段とが配設されたライティング浴槽であって、
前記光発生手段は、電源側から延長される通電用の導線が前記底壁を貫通して設けられ、該導線の先端部に設けられた接続部に、発光体が着脱自在に設けられ、該発光体の周囲がシール手段によりシールされたことを特徴とするライティング浴槽。
【請求項２】
前記導線が挿通されるパイプ状のホルダが設けられ、該ホルダの先端部には、前記接続部が設けられ、該ホルダが前記底壁を貫通していることを特徴とする請求項１に記載のライティング浴槽。
【請求項３】
前記シール手段は、前記発光体上を覆うレンズと、該レンズ及び前記ホルダの先端面の間に介在するパッキンとを有することを特徴とする請求項２に記載のライティング浴槽。
【請求項４】
前記気泡発生手段は前記ホルダの周囲を通して気体を浴槽容器内に導入する一方、該気体を吐出させると共に発光体からの光を照射させる複数の穴が形成されたキャップを備えたことを特徴とする請求項２又は３に記載のライティング浴槽。
【請求項５】
前記発光体は、発光ダイオードであることを特徴とする請求項１乃至４のいずれか一つに記載のライティング浴槽。
【発明の詳細な説明】
【技術分野】
【０００１】
この発明は、光を発生する光発生手段と気泡を発生する気泡発生手段とが配設されたライティング浴槽に関するものである。
【背景技術】
【０００２】
従来、浴槽は、肉体疲労回復を目的として、浴槽内の湯水に対して気泡を混入させた湯水を噴射するジェットバス（噴流風呂）、ブロアー等でエアを送り込んで気泡を発生させるブロアーバス（気泡風呂）等があり、又、精神的リラクゼーションを目的として、浴槽内に開口部を設けてその開口部から浴槽内の湯水に対して光を照射させるバスがある。また、これらを適宜組み合わせて肉体疲労回復及び精神的リラクゼーションの両方を目的としたバスもある。
【０００３】
しかし、この中でも特に、浴槽内の湯水に対して光を照射させる機能を有するバスの場合は、浴槽内に光を照射させる開口部を設けることから、その開口部から湯水が漏れる虞があり、光源がランプである場合などには漏電する虞もあるから、これらの対策を講じるために構造が複雑かつ高価になっていた。また、そのような漏水及び漏電を未然に防止するために保守点検をする必要もあった。
【０００４】
この改善策として、特許文献１に記載されたようなものがある。すなわち、この特許文献１には、「内側表面が透明層で、該透明層の裏側に加飾層，補強層が形成されてなる浴槽の、前記加飾層，補強層の一部を切り欠いて、浴槽内の水中に没する部位に前記透明層で構成される透光窓を形成し、該透光窓を通してＬＥＤ（発光ダイオード）の光を浴槽内に照射し得るように構成したことを特徴とする浴槽の演出照明装置が紹介されている。
【０００５】
これによれば、浴槽には貫通孔が形成されることがないため、漏水の虞れがなく、良好に外側からＬＥＤを配置させて、ＬＥＤからの光を透光窓を通し浴槽内に照射して、浴槽内の水中を良好に演出照明することができるものとなる。」旨記載されている。
【０００６】
また、特許文献１には、「浴槽内に気泡を吹き出す吹出口に、浴槽内に光を照射するＬＥＤ（発光ダイオード）を設けたことを特徴とする浴槽の演出照明装置も紹介されている。
【０００７】
これによれば、浴槽に取り付けられている気泡の吹出口を利用して、浴槽に新たに開口を形成させることなく、吹出口から浴槽内にＬＥＤからの光を照射して、浴槽内を良好に演出照明することができるものとなる。」旨記載されている。
【０００８】
さらに、特許文献１には、「前記ＬＥＤは、前記吹出口に対し取り換え可能に着脱し得る部材に付設されていることを特徴とする演出照明装置も紹介されている。
【０００９】
これによれば、前記ＬＥＤは、前記吹出口に対し取り換え可能に着脱し得る部材に付設されていることにより、着脱し得る部材を取り換え、後付けでＬＥＤを吹出口に配置させることができ、水中照明有りと無しの仕様を、少数の部品変更のみで変更可能となり、品番を削減させることができる。」旨記載されている。
【特許文献１】特開２００１−１６９９４９号公報。
【発明の開示】
【発明が解決しようとする課題】
【００１０】
しかしながら、このような従来のものでは、加飾層、補強層の一部を切り欠いて浴槽内の水中に没する部位に透明層で構成される透光窓を形成して、漏水の虞がなくＬＥＤ（発光ダイオード）の光を浴槽内に照射することができたり、浴槽内に気泡を吹き出す吹出口に浴槽内に光を照射するＬＥＤが設けられ、浴槽に新たに開口を設けることがなくても済むように構成できたりするが、浴槽の層の構造が３重にもなって、構造が複雑かつ高価になる虞があった。
【００１１】
また、発光ダイオードが吹出口に対して取り換え可能に着脱し得る部材に付設され、メンテナンスが行い易いが、発光ダイオードのみを取り換え可能に着脱し得るようにする方が、更にメンテナンスが行い易い。
【００１２】
そこで、この発明は、浴槽の構造を簡単かつ低価格にし、メンテナンスが行い易いライティング浴槽を提供することを課題とする。
【００１３】
また、この発明の他の課題は、従来技術では、発光ダイオードの光が、ジェット噴流が出てくるカバー部材又は気泡が出てくるカバー部材の吹出口の１箇所から直進的に照射されるのに対し、発光ダイオードの光を更に広範囲に渡って浴槽容器内を照射し得るように構成してリラクゼーション効果を向上させたライティング浴槽を提供することである。
【課題を解決するための手段】
【００１４】
かかる課題を達成するために、請求項１に記載の発明は、浴槽容器の底壁に、光を発生する光発生手段と気泡を発生する気泡発生手段とが配設されたライティング浴槽であって、前記光発生手段は、電源側から延長される通電用の導線が前記底壁を貫通して設けられ、該導線の先端部に設けられた接続部に、発光体が着脱自在に設けられ、該発光体の周囲がシール手段によりシールされたことを特徴とするライティング浴槽としたことを特徴とする。
【００１５】
請求項２に記載の発明は、請求項１に記載の構成に加え、前記導線が挿通されるパイプ状のホルダが設けられ、該ホルダの先端部には、前記接続部が設けられ、該ホルダが前記底壁を貫通していることを特徴とする。
【００１６】
請求項３に記載の発明は、請求項２に記載の構成に加え、前記シール手段は、前記発光体上を覆うレンズと、該レンズ及び前記ホルダの先端面の間に介在するパッキンとを有することを特徴とする。
【００１７】
請求項４に記載の発明は、請求項２又は３に記載の構成に加え、前記気泡発生手段は前記ホルダの周囲を通して気体を浴槽容器内に導入する一方、該気体を吐出させると共に発光体からの光を照射させる複数の穴が形成されたキャップを備えたことを特徴とする。
【００１８】
請求項５に記載の発明は、請求項１乃至４のいずれか一つに記載の構成に加え、前記発光体は、発光ダイオードであることを特徴とする。
【発明の効果】
【００１９】
請求項１に記載の発明によれば、光発生手段は、電源側から延長される通電用の導線が底壁を貫通して設けられ、導線の先端部に設けられた接続部に、発光体が着脱自在に設けられているから、発光体だけを着脱して取り換えすることができるので、メンテナンスを行い易くすることができる。また、発光体の周囲がシール手段によりシールされるから、浴槽容器内の湯水によって発光体と導線との接続部分から導線へ浸水して漏電する虞をなくすることができる。
【００２０】
請求項２に記載の発明によれば、導線が挿通されるパイプ状のホルダが設けられ、ホルダの先端部には、接続部が設けられ、ホルダが底壁を貫通しているから、浴槽容器内の湯水によって導線が浸水して漏電する虞をなくすることができる。
【００２１】
請求項３に記載の発明によれば、シール手段は、発光体上を覆うレンズと、レンズ及びホルダの先端面の間に介在するパッキンとを有することから、発光体から発光される光を拡散させて、より広範囲に渡って浴槽容器内を照らせるようすることができるので、リラクゼーション効果を向上させることができる。
【００２２】
請求項４に記載の発明によれば、複数の穴が形成されたキャップを備えており、キャップの複数の穴を通して気体を吐出させると共に発光体からの光を照射させるから、複数の穴から、気泡が多く分散されて浴槽容器内へと導入されると共に、又、光が複数の光線に分散されて照射されるようにすることができる。
【００２３】
請求項５に記載の発明によれば、発光体は発光ダイオードであるから、例えばＲＧＢが含まれる複数色の発光ダイオードを使用すると、浴槽容器に照射する光の種類にバリエーションをもたせることができる。
【発明を実施するための最良の形態】
【００２４】
以下、この発明の実施の形態について説明する。図１乃至図４は、この発明の実施の形態を示す。図１に示すように、この発明のライティング浴槽１０は、アクリル樹脂又はメタクリル樹脂等の可塑性材料により矩形状に成形された浴槽容器１１において、その底壁１２に複数個透設された孔１３を形成し、それらの孔１３に装着して固定された気泡吐出兼光照射の機能を有するユニット１４を備えている。また、ライティング浴槽１０は、底壁１２に繋がり傾斜して形成された周壁１５と、底壁１２に形成された排水口１６と、周壁１５に付設された把手１７と、ヘッドレスト１８とを備えている。
【００２５】
浴槽容器１１の外部には、図２に示すように、ブロアー１９（送風装置）が配設され、このブロアー１９から送風管２０が延長されて各ユニット１４に接続され、送風管２０の途中には、送風管２０の内部を開閉する電磁式のバルブ２１が配設される。また、浴槽容器１１には、図２で示すように、トランス２２が配設され、トランス２２から導線であるケーブル２３が延長されてユニット１４に接続されている。そのトランス２２は、導線５０を介してプラグ２４に接続されている。さらに、ブロアー１９、バルブ２１、及びトランス２２は、制御装置２５によって駆動制御され、制御装置２５は、スイッチ２６によってオン、オフが切換可能に構成されている。
【００２６】
前記ユニット１４は、光を発生する光発生手段と気泡を発生する気泡発生手段とを備えている。
【００２７】
光発生手段は、図３及び図４で示すように、通電用のケーブル２３、発光体である発光ダイオード２７、及びケーブル２３と発光ダイオード２７とを接続する接続部２８ａを備えている。また、電源側から延長される通電用のケーブル２３が浴槽容器１１の底壁１２を貫通して設けられ、ケーブル２３の周囲にはケーブル２３が挿通されるパイプ状のホルダ２８が同様に底壁１２を貫通して設けられており、ケーブル２３の先端はホルダ２８の先端部に形成された接続部２８ａに接続され、この接続部２８ａに発光ダイオード２７が発光体端子２７ａによって着脱自在に設けられる。
【００２８】
発光ダイオード２７は、ＲＧＢの３種が含まれるもので、図示しない基板にＩＣが埋設され、ＩＣによって発光色を変化できるようにされているものが使用され、図示しない基板の下に接続部２８ａと接続するための発光体端子２７ａを備えている。また、発光ダイオード２７は、ホルダ２８の先端面上でシール手段であるレンズ２９と、該レンズ２９とホルダ２８の先端面との間に介在する同じくシール手段であるパッキン３０とによって覆われている。レンズ２９は、球状部２９ａと筒状部２９ｂとを備え、筒状部２９ｂの外周側には、雄ネジ部２９ｘが形成されている。パッキン３０の素材としては、バイトン等が用いられ、卓越した耐熱性及び密封性を示す素材が使用される。
【００２９】
気泡発生手段は、図２乃至図４で示すように、気体を発生させるブロアー１９と、ブロアー１９から発生した気体を通す送風管２０と、送風管２０に設けられて気体の通過量を調節するノズル２１と、送風管２０を通った気体を浴槽容器１１内へと導くブロアノズルフット３６とを備えており、ブロアボディ３３の外周でブロアノズルフット３６及び底壁１２との間には、気体を通過させる送気通路３９が形成されている。
【００３０】
ユニット１４は、更に図３及び図４で示すように、ホルダ２８の下側からパッキン３２が通されてホルダ２８の上部で係止され、パッキン３２の下側からブロアボディ３３が通されてホルダ２８の上部で係止される。
【００３１】
ブロアボディ３３はフランジ部３３ａと筒状部３３ｂとを備え、フランジ部３３ａには気体を通すための気体孔３３ｃが上下方向に形成される。また、ブロアボディ３３は、フランジ部３３ａの外周側には雄ネジ部３３ｘ１が形成され、筒状部３３ｂの外周側には雄ネジ部ｘ２が形成されるとともに一部に面取部３３ｄが形成される。ブロアボディ３３のフランジ部３３ａの内周側及び筒状部３３ｂ上部の内周側には、雌ネジ部３３ｙが形成される。ブロアボディ３３の雌ネジ部３３ｙとレンズ２９の雄ネジ部２９ｘとは螺合され、浴槽容器１１内の湯水が接続部２８ａからケーブル２３へと浸水することがないようにシールされている。
【００３２】
また、ブロアボディ３３の下側からは、スリップワッシャ３４及びゴムパッキン３５が通されて底壁１２の上面に配設され、ブロアボディ３３と底壁１２との間のスリップ及び浸水が防止されている。
【００３３】
さらに、底壁１２の下側では、気体を浴槽容器１１内へと誘導するブロアノズルフット３６が配設される。ブロアノズルフット３６には、内周側に雌ネジ部３６ｙが上下方向に形成される。ブロアノズルフット３６の雌ネジ部３６ｙとブロアボディ３３の雄ネジ部３３ｘ２とは螺合され、ブロアボディ３３とブロアノズルフット３６とは底壁１２を挟持して固定される。これによって、ブロアボディ３３とブロアノズルフット３６の雌ネジ部３６ｙとの間には、送気通路３９が形成されることになり、この送気通路３９から気体孔３３ｃを通って気体がキャップ３１へと導かれる。また、ブロアノズルフット３６の下側にはスキントップ３７が配設され、このスキントップ３７によってブロアノズルフット３６が更に強く底壁１２に固定される。スキントップ３７の内周側には、パッキン３８が配設されている。
【００３４】
また、ユニット１４の上部では、発光ダイオード２７による光を照射させると共に、ブロアー１９によって発生する気体を気泡として吐出させる複数の穴３１ａが形成されたキャップ３１を備えられる。キャップ３１の裏面の内側面には雌ネジ部３１ｙが形成され、ブロアボディ３３の雄ネジ部３３ｘ１と螺合してキャップ３１がブロアボディ３３に固定される。また、このブロアボディ３３には、ホルダ２８が挿通されている。
【００３５】
かかる構成のライティング浴槽１０は、以下のように使用される。
【００３６】
まず、スイッチ２６をオンにし、制御装置２５によってブロアー１９、バルブ２１、トランス２２を駆動制御させる。
【００３７】
ブロアー１９で気体が発生され、送風管２０、ブロアノズルフット３６、送気通路３８、及びブロアボディ３３の気体孔３３ｃを順に通り、キャップ３１の穴３１ａから気泡となって浴槽容器１１内の湯水に吐出する。気泡の量は、制御装置２５によってバルブ２１の開閉を制御することによって調節される。
【００３８】
トランス２２では、電源から通電される電流について、電圧を降下させてユニット１４の発光ダイオード２７が発光される。例えば、電源の電圧が１００ボルトであったものを、トランス２２によって５．５ボルト位にまで降下させて発光ダイオード２７が発光される。発光ダイオード２７から発光された光は、レンズ２９によって拡散されて広範囲に広がりキャップ３１の複数の穴３１ａから照射される。
【００３９】
また、発光ダイオード２７のメンテナンスの際には、キャップ３１を回転してブロアノズル３３から外し、レンズ２９を回転してブロアボディ３３から外し、発光ダイオード２７を接続部２８ａから取り外し、新しい発光ダイオード２７を接続部２８ａに取り付け、レンズ２９、キャップ３１をそれぞれブロアボディ３３に取り付ける。
【００４０】
このようなライティング浴槽１０にあっては、通電用のケーブル２３が底壁１２を貫通して設けられ、ケーブル２３の先端部に設けられた接続部２８ａに発光体２７が着脱自在に設けられているから、発光ダイオード２７だけを着脱して取り換えすることができるので、メンテナンスが行い易くなる。また、発光ダイオード２７の周囲がレンズ２９及びパッキン３０によりシールされるから、浴槽容器１１内の湯水によって発光ダイオード２７とケーブル２３との接続部分からケーブル２３へと浸水して漏電する虞をなくすることができる。
【００４１】
また、ケーブル２３が挿通されるパイプ状のホルダ２８が設けられ、ホルダ２８の先端部には、接続部２８ａが設けられ、ホルダ２８が底壁１２を貫通しているから、浴槽容器１１内の湯水によってケーブル２３が浸水して漏電する虞をなくすることができる。
【００４２】
さらに、シール手段は、発光ダイオード２７上を覆うレンズ２９と、レンズ２９及びホルダ２８の先端面の間に介在するパッキン３０とを有することから、発光ダイオード２７の光を、より広範囲に渡って浴槽容器１１内を照らせるようすることができるので、リラクゼーション効果を向上させることができる。
【００４３】
ライティング浴槽１０は、気泡発生手段がホルダ２８の周囲を通して気体を浴槽容器１１内に導入する一方、気泡の吐出及び光の照射をする複数の穴３１ａが形成されたキャップ３１を備えているから、ホルダ２８の周囲を通して気体を浴槽容器１１内に吐出させると共に、キャップ３１の複数の穴３１ａを通して気体と発光ダイオード２７からの光を照射させるから、複数の穴３１ａから、気泡が多く分散されて浴槽容器１１内へと吐出されると共に、又、光が複数の光線に分散されて照射されるようにすることができる。
【００４４】
なお、この発明の実施の形態では、発光ダイオード２７は、ＲＧＢの３種が含まれるものが使用され、ＩＣによって発光色を変化させることができるようにされているものを使用していたが、上記実施の形態に限られず、発光ダイオード２７の発光色の変化が時間の経過とともに生じさせることができるものであれば、ＩＣを用いないものを使用しても良い。
【００４５】
また、この発明の実施の形態では、発光体として発光ダイオード２７を使用したが、上記実施の形態に限られず、発光するものであれば、有機ＥＬ等の他のものを使用しても良い。また、この発明の光発生手段と気泡発生手段の構成は、上記実施の形態では、浴槽容器１１の底壁１２に設けられたが、上記実施の形態に限らず、周壁１５に設けて発光ダイオード２７を着脱自在にする構成にすることもできる。
【図面の簡単な説明】
【００４６】
【図１】この発明の実施の形態１に係るライティング浴槽の斜視図である。
【図２】同実施の形態に係るライティング浴槽の断面図である。
【図３】同実施の形態に係るユニットを示す拡大斜視図である。
【図４】同実施の形態に係るユニットを示す拡大分解図である。
【符号の説明】
【００４７】
10    ライティング浴槽
11    浴槽容器
12    底壁
14    ユニット
23    導線
27    発光ダイオード
28    ホルダ
28a   接続部
29    レンズ
30    パッキン
31    キャップ
31a   穴
【図１】
2006006660.tif 000003
【図２】
2006006660.tif 000004
【図３】
2006006660.tif 000005
【図４】
2006006660.tif 000006